(57)【特許請求の範囲】
【請求項１】
揚重物を揚重装置で吊り上げる際に介在される吊持治具であって、吊持治具の本体にカウンターウエイトを設けると共に、伸縮自在な吊持用のアームが前記吊持治具の本体に複数個並設されると共に、当該アームの各後端部に回動ピンが設けられて吊持治具の本体の係止部材に嵌合して回動自在に支持され、この両アームに螺旋溝が刻設されたネジ棒が拡開手段として架設され、そのネジ棒のハンドルを回転させることで前記回動ピンを中心に前記アームが回動して水平方向に任意の角度に拡開されること、
を特徴とする吊持治具。
【発明の詳細な説明】
【０００１】
【産業上の利用分野】
本発明は、主に軽量な外装ユニットパネル等の揚重物をクレーン等で吊り上げるための吊持治具に関する。
【０００２】
【従来の技術】
従来、高層ビル等の建物の建築に使用される外装ユニットパネルを、クレーン等の揚重装置で吊り上げて外壁部に取り付けるには、図５に示すように、直線状の吊り治具１に外装ユニットパネル２をワイヤーで結びつけ、該吊り治具１を揚重装置３で吊り上げて建物の取付部に運んでいた。
【０００３】
【発明が解決しようとする課題】
しかしながら、前記外装ユニットパネル２は比較的軽量であり、表面積も広いので吊り上げ途中において風に煽られて揺れ動き、例えば、建物に衝突したり、高所作業をしている作業者が外装ユニットパネル２を引き寄せて建物に取付けようとするときに急に該外装ユニットパネル２が思わぬ方向に動いて危険な状態になったりすると言う問題点があった。
【０００４】
また、揚重装置３で吊持された外装ユニットパネル２を建物の入隅部に取付ようとすると、該揚重装置３のフックなどが邪魔となって取り付け作業上障害となることがあり作業能率が悪くなると言う問題点があった。
【０００５】
このように、従来の外装パネル等の揚重物を吊り上げる治具は、揚重時の姿勢維持と、建物における入隅部等の平面部でないところに外装パネルをスムーズに搬入するという点において解決すべき課題を有していた。
【０００６】
【課題を解決するための手段】
本発明に係る吊持治具の上記課題を解決するための要旨は、揚重物を揚重装置で吊り上げる際に介在される吊持治具であって、吊持治具の本体にカウンターウエイトを設けると共に、伸縮自在な吊持用のアームが前記吊持治具の本体に複数個並設されると共に、当該アームの各後端部に回動ピンが設けられて吊持治具の本体の係止部材に嵌合して回動自在に支持され、この両アームに螺旋溝が刻設されたネジ棒が拡開手段として架設され、そのネジ棒のハンドルを回転させることで前記回動ピンを中心に前記アームが回動して水平方向に任意の角度に拡開されることである。
【０００８】
【作用】
本発明に係る吊持治具によれば、カウンターウエイトにより風などの突発的な影響で揚重物が揺れることが無くなって、安定した状態で揚重物を吊持することが出来ができると共に、伸縮自在なアームにより揚重物を建物の入り組んだ場所にも搬入することができる。
【０００９】
【実施例】
次に、本発明に係る実施例について図面を参照して詳細に説明する。尚、理解容易のため従来例に対応する部分には従来例と同一の符号を付けて説明する。
【００１０】
本発明の第１実施例は、図１に示すように、例えば、鋼材を矩形状の框体にして組み立てた吊持治具５の本体６に、カウンターウエイト７が設けられ、更に、油圧ジャッキ等の伸縮手段を有した伸縮自在なアーム８，９が水平方向に伸ばして並設されている。
【００１１】
また、吊持治具５の本体６もしくはカウンターウエイト７の上部には、揚重装置３のフックにワイヤ１０を介して当該吊持治具５を吊持するための係止金具１１が固着されている。
【００１２】
前記アーム８，９は、水平方向に伸縮自在で、揚重物、例えば、任意の形状の外装ユニットパネル２を最も適した箇所から吊り上げることができるように、複数の吊持用ワイヤ１２，１３，１４が設けられている。
【００１３】
更に、前記アーム８，９は、互いに独立して伸縮し、かつ、連動させて伸縮させることもできるものである。
【００１４】
よって、例えば、前記揚重物の外装ユニットパネル２にワイヤ１２等を係止させる際には、アーム８、９を適宜に独立して適当に伸縮させ、建物に搬入して入隅部に取り付ける場合があれば当該アーム８，９を連動させて伸縮の速度及び移動量を揃えるようにするものである。
【００１５】
このようにした第１実施例の吊持治具５により、軽量な外装ユニットパネル２をクレーン等の揚重装置３で吊り上げても、カウンターウエイト７があることで風で揺れることなく安定した状態で吊持できる。
【００１６】
また、建物の入隅部等の入り組んだ場所にもアームを適宜伸縮させて外装ユニットパネル２を容易に取り付けることが出来るようになった。
【００１７】
次に、本発明の第２実施例は、図２乃至図３に示すように、吊持治具５の本体６に並設されたアーム８，９を、該アーム８，９の各後端部に回動ピンを設け、本体６側に回動ピンを回動自在に嵌合させる係止部材を設け、本体６に対して水平方向に回動自在にする。
【００１８】
そして、両アーム８，９に架設してそのハンドル１５ａを回転させることで螺旋溝が刻設されたネジ棒も同時に回転して、当該アーム８，９の間隔が開いたり狭くなったりして、拡開自在となる。よって、アーム８，９が本体６に対して回動自在で、かつ、拡開自在にする拡開手段１５を設けた点において前記第１実施例と相違するものである。
【００１９】
このような第２実施例に係る吊持治具５Ａによれば、前記拡開手段１５によってアーム８，９を自由に開拡させることで種々の複雑な形状の外装ユニットパネル２でも容易に吊持することが出来るものである。
【００２０】
次に、本発明の第３実施例は、図４に示すように、カウンターウエイト７を、吊持治具５Ｂの本体６に対して、吊り上げた状態で水平方向に移動自在にして、本体６から遠くにしたり、より本体６に近づけたりすることができるように形成したものである。この点において、前記第１，２実施例と相違するところである。
【００２１】
前記カウンターウエイト７を移動自在にする手段としては、例えば、本体６からガイド枠１６を平行に並設して、このガイド枠６に摺動自在にカウンターウエイト７を装着し、前記ガイド枠１６の上にボールネジ用の支持部材１７，１８を立設し、該支持部材１７，１８の間にボールネジ１９を架設し、カウンターウエイト７から一体的に延設した伝達部材２０を螺合させておく。
【００２２】
そして、前記ボールネジ１９の一端部を駆動モータ２１の駆動軸に同軸回転するようにカップリング等を介して連結する。
【００２３】
このようにした吊持治具５Ｂによれば、吊り上げようとする揚重物２の重量が重かったり、逆に軽量であったりした場合に、適宜に前駆駆動モータ２１を回転駆動させて、本体６に対するカウンターウエイト７の水平方向の位置を変えることで、吊持治具５Ｂ全体の重量バランスを安定させることができる。
【００２４】
そのほか、第４実施例として、吊持治具（図示せず）のカウンターウエイトを位置固定した状態で、吊持治具の係止金具１１の本体６に対する取付位置を可変させたり、若しくは係止金具を予め複数（例えば、８個から１６個）設けて、揚重装置に吊り下げるためのワイヤ１０の係止箇所を変えられるような、位置可変手段を設けたことである。
【００２５】
このように、吊持治具を揚重装置で吊り上げる支点位置を位置可変手段で変えることで、外装ユニットパネル２に対する重量バランスを安定させるようにすることが出来る。
【００２６】
また、第５実施例として、第４実施例で更に、カウンターウエイト７を移動自在とするのも好ましいものである。これにより、例えば、移動自在なカウンターウエイト７で大まかな重量バランスをとり、その後、係止金具１１，１１…によるワイヤ１０の係止位置を変えて細かな重量バランスをとるものである。
【００２７】
このように、本発明の吊持治具によって、揚重物を安定して揚重でき、建物の入り組んだ位置にも揚重物を搬入して取り付けることができるようになった。
【００２８】
【発明の効果】
以上説明したように、本発明に係る吊持治具は、揚重物を揚重装置で吊り上げる際に介在される吊持治具であって、吊持治具の本体にカウンターウエイトを設けると共に、伸縮自在な吊持用のアームが前記吊持治具の本体に複数個並設されると共に、当該アームの各後端部に回動ピンが設けられて吊持治具の本体の係止部材に嵌合して回動自在に支持され、この両アームに螺旋溝が刻設されたネジ棒が拡開手段として架設され、そのネジ棒のハンドルを回転させることで前記回動ピンを中心に前記アームが回動して水平方向に任意の角度に拡開されるので、軽量な例えば外装ユニットパネルであっても安定した状態で吊持することができると共に、建物の複雑な形状に対応して揚重物を搬入して取り付けることができると言う優れた効果を奏する。
【００３０】
また、吊持用のアームが、吊持治具の本体に複数個並設されると共に、水平方向に任意の角度に拡開されるので、複雑な形状の揚重物でも容易に吊持することができると言う優れた効果を奏する。
【図面の簡単な説明】
【図１】本発明の第１実施例に係る吊持治具の斜視図である。
【図２】同本発明の第２実施例に係る吊持治具の正面図である。
【図３】同本発明の第２実施例に係る吊持治具の平面図である。
【図４】同本発明の第３実施例に係る吊持治具の正面図である。
【図５】従来例に係る吊持治具の使用状態参考図である。
【符号の説明】
２  揚重物、
３  揚重装置、
５，５Ａ，５Ｂ  吊持治具、
６  吊持治具の本体、
７  カウンターウエイト、
８，９  アーム、
１１  係止金具、
１５  拡開手段。
【図１】
0003569029.tif 000002
【図２】
0003569029.tif 000003
【図３】
0003569029.tif 000004
【図４】
0003569029.tif 000005
【図５】
0003569029.tif 000006